【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
ワイヤレス局（ＳＴＡ）におけるターゲットビーコン送信時間（ＴＢＴＴ）外の伝送機会を識別することと、
前記識別された伝送機会の間に、第１のレートでビーコンポールフレームを前記ＳＴＡからワイヤレスアクセスポイント（ＡＰ）に送信することと、
前記ビーコンポールフレームに応答して、前記ＡＰから前記第１のレートよりも速い第２のレートで送信されたユニキャストビーコンフレームを前記ＳＴＡによって受信することと、
ＴＢＴＴ中に非アクティブ状態にとどまることと、
を備える方法。
【請求項２】
前記ＡＰが所定数よりも多いＳＴＡに関連付けられた場合に、前記ＡＰがユニキャストビーコンフレームを送らないようにすることをさらに備える、請求項１に記載の方法。
【請求項３】
前記ユニキャストビーコンフレームはダウンリンクデータを備える、請求項１に記載の方法。
【請求項４】
プローブ要求を前記ＳＴＡから前記ＡＰに送信することと、ここで、前記プローブ要求は、前記ＳＴＡがビーコンポーリングに参加できることを示し、
プローブ応答を前記ＳＴＡによって受信することと、ここで、前記プローブ応答は、前記ＡＰによって送信され、前記ＡＰがビーコンポーリングに参加できることを示す、
をさらに備える、請求項１に記載の方法。
【請求項５】
情報要素を前記ＳＴＡによって受信することをさらに備え、前記情報要素は、前記ＡＰによって送信され、前記ＡＰがビーコンポールフレームに現在応答するかどうかを示す、請求項１に記載の方法。
【請求項６】
情報要素を前記ＳＴＡによって受信することをさらに備え、前記情報要素は、前記ＡＰによって送信され、前記ＡＰが所定数のビーコン期間にわたって応答することになるビーコンポールフレームの最大数を示す、請求項１に記載の方法。
【請求項７】
情報要素を前記ＳＴＡによって受信することをさらに備え、前記情報要素は、前記ＡＰによって送信され、前記ＡＰが前記ビーコンポールフレームに通常のビーコンフレームで応答することになるか、修正されたビーコンフレームで応答することになるかを示す、請求項１に記載の方法。
【請求項８】
前記修正されたビーコンフレームは、
通常のビーコンフレームよりも少ないフィールドおよび／または情報要素を有する低減ビーコンフレーム、または、
通常のビーコンフレームとは異なるフィールドおよび情報要素を有するインクリメンタルビーコンフレーム、または、
通常のビーコンフレームのフィールドおよび情報ユニットの１つまたは複数を圧縮した圧縮ビーコンフレーム
を備える、請求項７に記載の方法。
【請求項９】
情報要素を前記ＳＴＡによって受信することをさらに備え、前記情報要素は、前記ＡＰによって送信され、ビーコン期間中に前記ＳＴＡから受信された第１のＰＳ＿Ｐｏｌｌおよび／または第１のトリガフレームを前記ＡＰがビーコンポールフレームとして扱うことになることを示す、請求項１に記載の方法。
【請求項１０】
ターゲットビーコン送信時間（ＴＢＴＴ）外のワイヤレス局（ＳＴＡ）についての識別された伝送機会の間に、第１のレートで送信されたビーコンポールフレームをワイヤレスアクセスポイント（ＡＰ）によって前記ＳＴＡから受信することと、
前記ビーコンポールフレームを受信するのに応答して、前記第１のレートよりも速い第２のレートで、ユニキャストビーコンフレームを前記ワイヤレスＡＰから前記ＳＴＡに送信することと、
を備える方法。
【請求項１１】
ビーコンポールフレームを前記ＡＰに送信できる局の数を監視することと、
ビーコンポールフレームを前記ＡＰに送信できる局の前記数が所定数を超えた場合に、前記ＡＰがユニキャストビーコンフレームを送らないようにすることと、
をさらに備える、請求項１０に記載の方法。
【請求項１２】
前記ＳＴＡへのダウンリンクデータを前記ユニキャストビーコンフレームに含めることをさらに備える、請求項１０に記載の方法。
【請求項１３】
前記ＡＰが第１の時間期間にわたって前記ＳＴＡに送信できるユニキャストビーコンフレームの数を制限することをさらに備える、請求項１０に記載の方法。
【請求項１４】
ターゲットビーコン送信時間（ＴＢＴＴ）外のワイヤレス媒体上の伝送機会を識別するためのコントローラと、
前記識別された伝送機会の間に、第１のレートでビーコンポールフレームをワイヤレス局（ＳＴＡ）からワイヤレスアクセスポイント（ＡＰ）に送信するための送信機と、
前記ビーコンポールフレームに応答して、前記ＡＰから前記第１のレートよりも速い第２のレートで送信されたユニキャストビーコンフレームを受信するための受信機と、
前記ＳＴＡに、ＴＢＴＴ中に非アクティブ状態にとどまらせるように適合された前記コントローラと、
を備えるＳＴＡ。
【請求項１５】
ターゲットビーコン送信時間（ＴＢＴＴ）外のワイヤレス局（ＳＴＡ）の識別された伝送機会の間に前記ＳＴＡから第１のレートで送信されたビーコンポールフレームを受信するための受信機と、
前記ビーコンポールフレームに応答して、前記第１のレートよりも速い第２のレートでユニキャストビーコンフレームを前記ＳＴＡに送信するための送信機と、
を備えるワイヤレスアクセスポイント（ＡＰ）。
【手続補正２】
【補正対象書類名】明細書
【補正対象項目名】００６２
【補正方法】変更
【補正の内容】
【００６２】
[0067]開示される実施形態に関する以上の説明は、どんな当業者でも本開示を作成または使用できるようにするために提供される。これらの実施形態に対する様々な修正が当業者にはすぐに明らかであろうし、本明細書に定義される一般原理は、本開示の主旨または範囲を逸脱することなく他の実施形態にも適用され得る。よって、本開示は、本明細書に示される実施形態に限定されるのではなく、本明細書に開示される原理および新規な特徴と整合する最も広い範囲に一致することが意図される。
以下に本願発明の当初の特許請求の範囲に記載された発明を付記する。
［Ｃ１］ワイヤレス局（ＳＴＡ）との伝送機会を識別することと、
前記識別された伝送機会の間にビーコンポールフレームを前記ＳＴＡからワイヤレスアクセスポイント（ＡＰ）に送信することと、
前記ＡＰから送信されたユニキャストビーコンフレームを前記ＳＴＡによって受信することと、
を備える方法。
［Ｃ２］第１のレートで前記ビーコンポールフレームを前記ＳＴＡから前記ＡＰに送信することと、
前記第１のレートよりも速い第２のレートで前記ＡＰによって前記ＳＴＡに送信された前記ユニキャストビーコンフレームを受信することと、
をさらに備える、Ｃ１に記載の方法。
［Ｃ３］前記ＡＰは前記ＡＰのビーコン期間中に１つだけのユニキャストビーコンフレームを前記ＳＴＡに送信する、Ｃ１に記載の方法。
［Ｃ４］前記ＡＰが所定数よりも多いＳＴＡに関連付けられた場合に、前記ＡＰがユニキャストビーコンフレームを送らないようにすることをさらに含む、Ｃ１に記載の方法。
［Ｃ５］前記ユニキャストビーコンフレームはダウンリンクデータを備える、Ｃ１に記載の方法。
［Ｃ６］プローブ要求を前記ＳＴＡから前記ＡＰに送信することと、ここで、前記プローブ要求は、前記ＳＴＡがビーコンポーリングに参加できることを示し、
プローブ応答を前記ＳＴＡによって受信することと、ここで、前記プローブ応答は、前記ＡＰによって送信され、前記ＡＰがビーコンポーリングに参加できることを示す、
をさらに備える、Ｃ１に記載の方法。
［Ｃ７］情報要素を前記ＳＴＡによって受信することをさらに備え、前記情報要素は、前記ＡＰによって送信され、前記ＡＰがビーコンポールフレームに現在応答するかどうかを示す、Ｃ１に記載の方法。
［Ｃ８］第２の情報要素を前記ＳＴＡによって受信することをさらに備え、前記第２の情報要素は、前記ＡＰによって送信され、前記ＡＰがビーコンポールフレームに応答する能力が変化することになることを示す、Ｃ７に記載の方法。
［Ｃ９］情報要素を前記ＳＴＡによって受信することをさらに備え、前記情報要素は、前記ＡＰによって送信され、前記ＡＰが所定数のビーコン期間にわたって応答することになるビーコンポールフレームの最大数を示す、Ｃ１に記載の方法。
［Ｃ１０］情報要素を前記ＳＴＡによって受信することをさらに備え、前記情報要素は、前記ＡＰによって送信され、前記ＡＰが前記ビーコンポールフレームに通常のビーコンフレームで応答することになるか、修正されたビーコンフレームで応答することになるかを示す、Ｃ１に記載の方法。
［Ｃ１１］前記修正されたビーコンフレームは、通常のビーコンフレームよりも少ないフィールドおよび／または情報要素を有する低減ビーコンフレームを備える、Ｃ１０に記載の方法。
［Ｃ１２］前記修正されたビーコンフレームは、通常のビーコンフレームとは異なるフィールドおよび情報要素を有するインクリメンタルビーコンフレームを備える、Ｃ１０に記載の方法。
［Ｃ１３］前記修正されたビーコンフレームは、通常のビーコンフレームのフィールドおよび情報ユニットの１つまたは複数を圧縮した圧縮ビーコンフレームを備える、Ｃ１０に記載の方法。
［Ｃ１４］情報要素を前記ＳＴＡによって受信することをさらに備え、前記情報要素は、前記ＡＰによって送信され、ビーコン期間中に前記ＳＴＡから受信された第１のＰＳ＿Ｐｏｌｌおよび／または第１のトリガフレームを前記ＡＰがビーコンポールフレームとして扱うことになることを示す、Ｃ１に記載の方法。
［Ｃ１５］ワイヤレス局（ＳＴＡ）についての識別された伝送機会の間に、ビーコンポールフレームをワイヤレスアクセスポイント（ＡＰ）によって前記ＳＴＡから受信することと、
前記ビーコンポールフレームを受信するのに応答して、ユニキャストビーコンフレームを前記ワイヤレスＡＰから前記ＳＴＡに送信することと、
を備える方法。
［Ｃ１６］第１のレートで前記ビーコンポールフレームを前記ワイヤレスＡＰによって受信することと、
前記第１のレートよりも速い第２のレートで前記ユニキャストビーコンフレームを前記ワイヤレスＡＰから送信することと、
をさらに備える、Ｃ１５に記載の方法。
［Ｃ１７］前記ワイヤレスＡＰは前記ＡＰのビーコン期間中に１つだけのユニキャストビーコンフレームを前記ＳＴＡに送信する、Ｃ１５に記載の方法。
［Ｃ１８］ビーコンポールフレームを前記ＡＰに送信できる局の数を監視することと、
ビーコンポールフレームを前記ＡＰに送信できる局の前記数が所定数を超えた場合に、前記ＡＰがユニキャストビーコンフレームを送らないようにすることと、
をさらに備える、Ｃ１５に記載の方法。
［Ｃ１９］前記ＳＴＡへのダウンリンクデータを前記ユニキャストビーコンフレームに含めることをさらに備える、Ｃ１５に記載の方法。
［Ｃ２０］前記ＡＰが第１の時間期間にわたって前記ＳＴＡに送信できるユニキャストビーコンフレームの数を制限することをさらに備える、Ｃ１５に記載の方法。
［Ｃ２１］ワイヤレス媒体上の伝送機会を識別するためのコントローラと、
前記識別された伝送機会の間にビーコンポールフレームをワイヤレス局（ＳＴＡ）からワイヤレスアクセスポイント（ＡＰ）に送信するための送信機と、
前記ＡＰから送信されたユニキャストビーコンフレームを受信するための受信機と、
を備えるＳＴＡ。
［Ｃ２２］前記送信機は、第１のレートで前記ビーコンポールフレームを前記ＳＴＡから前記ＡＰに送信し、前記受信機は、前記第１のレートよりも速い第２のレートで前記ユニキャストビーコンフレームを前記ＳＴＡから受信する、Ｃ２１に記載のＳＴＡ。
［Ｃ２３］前記受信機は、前記ＡＰによって送信されたビーコンポーリングデューティ（ＢＰ＿ＤＵＴＹ）値を受信し、前記ＢＰ＿ＤＵＴＹ値は、ある一定数のビーコン期間中に前記ＡＰが何個のビーコンポールフレームに応答することになるかを示す、Ｃ２１に記載のＳＴＡ。
［Ｃ２４］前記送信機は、プローブ要求を前記ＡＰに送信し、前記プローブ要求は、前記ＳＴＡがビーコンポーリングに参加できることを示す、Ｃ２１に記載のＳＴＡ。
［Ｃ２５］前記受信機は、前記ＡＰから送信されたプローブ応答を受信し、前記プローブ応答は、前記ＡＰがビーコンポーリングに参加できることを示す、Ｃ２４に記載のＳＴＡ。
［Ｃ２６］前記受信機は、前記ＡＰによって送信された情報要素を受信し、前記情報要素は、前記ＡＰが前記ビーコンポールフレームに応答できるようにされているかどうかを示す、Ｃ２１に記載のＳＴＡ。
［Ｃ２７］前記受信機は、前記ＡＰによって送信された第２の情報要素をさらに受信し、前記第２の情報要素は、前記ＡＰが前記ビーコンポールフレームに応答する能力が変化することになることを示す、Ｃ２６に記載のＳＴＡ。
［Ｃ２８］前記受信機は、前記ＡＰによって送信された情報要素を受信し、前記情報要素は、前記ＡＰが前記ビーコンポールフレームに第１のタイプのユニキャストビーコンフレームで応答することになるか第２のタイプのユニキャストビーコンフレームで応答することになるかを示す、Ｃ２１に記載のＳＴＡ。
［Ｃ２９］ワイヤレス局（ＳＴＡ）の識別された伝送機会の間に前記ＳＴＡから送信されたビーコンポールフレームを受信するための受信機と、
前記ビーコンポールフレームに応答してユニキャストビーコンフレームを前記ＳＴＡに送信するための送信機と、
を備えるワイヤレスアクセスポイント（ＡＰ）。
［Ｃ３０］前記受信機は、第１のレートで前記ビーコンポールフレームを受信し、前記送信機は、前記第１のレートよりも速い第２のレートで前記ユニキャストビーコンフレームを送信するように構成された、Ｃ２９に記載のＡＰ。
［Ｃ３１］前記ＡＰの所定数のビーコン期間中に、前記ＳＴＡに送信されるユニキャストビーコンフレームの数を制限するためのコントローラをさらに備える、Ｃ２９に記載のＡＰ。
［Ｃ３２］前記コントローラは、ビーコンポールフレームを前記ＡＰに送信できる局（ＳＴＡ）の数を監視し、ビーコンポールフレームを前記ＡＰに送信できるＳＴＡの前記数が所定数を超えた場合に、前記ＡＰがユニキャストビーコンフレームを送信するのを停止させる、Ｃ２９に記載のＡＰ。
［Ｃ３３］前記コントローラは、前記ＳＴＡとの通信に使用されるチャネル上のトラフィックを監視し、前記チャネルは帯域幅を有し、前記チャネル上の前記トラフィックが前記帯域幅の所定パーセンテージを超えた場合に、前記ＡＰがユニキャストビーコンフレームを送信するのを停止させる、Ｃ２９に記載のＡＰ。
［Ｃ３４］前記コントローラは、前記ＳＴＡへのダウンリンクデータを前記ユニキャストビーコンフレームに含める、Ｃ２９に記載のＡＰ。
［Ｃ３５］前記送信機は、ある一定数のビーコン期間中に、前記ＡＰが何個のビーコンポールフレームに応答することになるかを前記ＳＴＡに示すビーコンポーリングデューティ（ＢＰ＿ＤＵＴＹ）値を送信する、Ｃ２９に記載のＡＰ。
［Ｃ３６］前記受信機は、前記ＳＴＡからプローブ要求を受信し、前記プローブ要求は、前記ＳＴＡがビーコンポーリングに参加できることを示し、前記送信機は、プローブ応答を前記ＳＴＡに送信するように構成され、前記プローブ応答は、前記ＡＰがビーコンポーリングに参加できることを示す、Ｃ２９に記載のＡＰ。
［Ｃ３７］前記送信機は、前記ＡＰが前記ビーコンポールフレームに応答できるようにされているかどうかを示す情報要素を送信する、Ｃ２９に記載のＡＰ。
［Ｃ３８］前記送信機は、前記ＡＰが前記ビーコンポールフレームに応答する能力が変化することになることを示す第２の情報要素を送信する、Ｃ３７に記載のＡＰ。
［Ｃ３９］前記送信機は、前記ＡＰが前記ビーコンポールフレームに第１のタイプのユニキャストビーコンフレームで応答することになるか第２のタイプのユニキャストビーコンフレームで応答することになるかを示す情報要素を送信する、Ｃ２９に記載のＡＰ。
［Ｃ４０］ワイヤレス局（ＳＴＡ）とワイヤレスアクセスポイント（ＡＰ）との間でビーコンポーリングプロセスを実施する方法であって、
前記ワイヤレスＳＴＡでＩＥＥＥ８０２．１１標準に従うフレームを提供することと、前記フレームは、前記フレームをビーコンポーリングフレームとして識別するように設定されたビットを有するフレームサブタイプフィールドを含み、
前記フレームを前記ワイヤレスＳＴＡから前記ワイヤレスＡＰに送信することと、
を備える方法。
［Ｃ４１］ユニキャストビーコンフレームを前記ワイヤレスＳＴＡによって受信することをさらに備え、前記ユニキャストビーコンフレームは、前記フレームを受信して前記フレームをビーコンポーリングフレームとして識別することに応答して、前記ワイヤレスＡＰによって送信される、Ｃ４０に記載の方法。